(57)【要約】【課題】利用者が手軽に無料でインターネットを自由に利用することができるインターネット情報配信システム及びその制御ソフトを提供する。【解決手段】情報閲覧端末装置３のブラウザを起動中又は起動時に、一定時間の間、情報閲覧端末装置３に表示される契約スポンサーが閲覧許可するサイト（ホームページＡ１〜Ａ４など）だけしか閲覧することができず、インターネット５を利用する際に、契約スポンサーが閲覧させたいサイトを利用者に必ず閲覧してもらえ、利用者に金銭的な負担をかけることなく、利用者が手軽に無料でインターネット５を自由に利用することができる。【選択図】  図５
2006155334.tif 000002
【特許請求の範囲】
【請求項１】
契約スポンサーが閲覧許可したサイトの閲覧情報を記憶するウェブサーバーと、該サイトを閲覧可能に表示する情報閲覧端末装置と、該サイトを閲覧するのに必要なアクセス情報を記憶するアクセス情報記憶装置とを、インターネットを介して接続したインターネット情報配信システムであって、
上記情報閲覧端末装置のブラウザを起動中又は起動時に、上記アクセス情報記憶装置に記憶されたアクセス情報に基づいて契約スポンサーが閲覧許可したサイトのアクセス情報を上記情報閲覧端末装置で取得し、
上記情報閲覧端末装置に予め設定された一定時間の間、上記契約スポンサーが閲覧許可したサイトだけしか閲覧できないようにした
インターネット情報配信システム。
【請求項２】
上記情報閲覧端末装置に予め設定された上記一定時間の間、上記契約スポンサーが閲覧許可したサイトが表示するブラウザウインドウ以外の操作を不可に制限した
請求項１記載のインターネット情報配信システム。
【請求項３】
上記契約スポンサーが閲覧許可したサイトを表示するブラウザウインドウを、上記一定時間が経過するまで消せないようにした
請求項１又は２記載のインターネット情報配信システム。
【請求項４】
上記ブラウザを起動中、上記一定時間が経過する毎に、自由に閲覧中のブラウザウインドウ以外に、予め契約した契約スポンサーが閲覧許可したサイトだけしか閲覧することができない２枚目のブラウザウインドウが立ち上がるように設定した
請求項１，２又は３記載のインターネット情報配信システム。
【請求項５】
上記２枚目のブラウザウインドウは、上記一定時間が経過後表示される毎に、毎回異なる契約スポンサーのサイトが順番に変更表示されるように設定した
請求項４記載のインターネット情報配信システム。
【請求項６】
上記２枚目のブラウザウインドウから契約スポンサーが閲覧許可したサイト以外のサイトへ移動してから一定時間が経過した後、さらに契約スポンサーが閲覧許可したサイトしか閲覧できない別のブラウザウインドウが立ち上がるように設定した
請求項４又は５記載のインターネット情報配信システム。
【請求項７】
上記２枚目又は２枚目以降のブラウサウインドウが上記情報閲覧端末装置の画面に表示される及び／又は画面から消すことができるようになる時刻又はそれまでの時間を示す予告計時部を表示するよう設定した
請求項４，５又は６記載のインターネット情報配信システム。
【請求項８】
上記情報閲覧端末装置の操作が一定時間ない場合、上記アクセス情報記憶装置に記憶された複数の契約スポンサーが閲覧許可したサイトのアクセス情報を上記情報閲覧端末装置で取得し、複数の契約スポンサーのサイトを一定時間毎に順番で切替え表示した
請求項１記載のインターネット情報配信システム。
【請求項９】
上記情報閲覧端末装置の表示部を複数に分割して、上記契約スポンサーのサイトを該分割された表示部のそれぞれに表示し、該情報閲覧端末装置に設定された上記一定時間が経過した後に表示する契約スポンサーのサイトを選択可能に設定した
請求項４又は５記載のインターネット情報配信システム。
【請求項１０】
情報閲覧端末装置のブラウザを起動中又は起動時に、アクセス情報記憶装置に記憶されたアクセス情報に基づいて契約スポンサーが閲覧許可するサイトのアクセス情報を情報閲覧端末装置で取得し、
上記アクセス情報に基づいて、上記契約スポンサーが閲覧許可したサイトを記憶するウェブサーバーにインターネットを介して上記情報閲覧端末装置又はアクセス情報記憶装置からアクセスし、
上記ウェブサーバーに記憶された契約スポンサーが閲覧許可したサイトのみに閲覧規制して、予め設定された一定時間だけ表示させるように上記情報閲覧端末装置を制御する
インターネット情報配信システムの制御用ソフト。
【発明の詳細な説明】
【技術分野】
【０００１】
この発明は、例えば誰もが街角で手軽に無料でインターネットを自由に利用できる無料インターネット利用空間を提供する為に、宣伝・広告等の情報を提供するスポンサーと契約し、その契約スポンサーのホームページを配信するソフト又はシステムからなるインターネット情報配信システム及びその制御ソフトに関する。
【背景技術】
【０００２】
従来、上述のインターネットを利用する方法としては、例えば操作者が入力を行ったか否かを判別し、入力が行われていない場合、同様の処理を繰り返す。また、操作者により入力が行われた場合、退避された画像を再度表示し、同様の処理を繰り返すという特許文献１の表示制御装置、表示制御方法、送受信装置及び送受信方法と、また、ネットワークシステム（インターネット等）に接続した端末装置（パソコン等）の表示画面を利用者が一定時間キーボード・マウス・音声等により指示しない場合、プロバイダーのコンピューター（情報提供装置・広告装置）や、その他のホストコンピューターを介して、この画面を自動的に広告・宣伝画面に転換表示する特許文献２のネットワークシステム（インターネット等）に接続した端末装置（パソコン等）の表示画面に対して一定時間指示がない場合、この画面を広告・宣伝画面に転換表示するシステムとがある。
【０００３】
しかし、上述の特許文献１，２は、キーボードやマウス等で入力又は指示した場合、表示装置や端末装置に表示された画面が消え、利用者が好む又は望むようなインターネットの画面に切り替わってしまうため、スポンサーが提供する広告・宣伝の情報を必要な時間閲覧してもらうことが難しく、望むような宣伝効果が得られない。また、広告・宣伝を画面に表示することによる宣伝効果が低い場合、スポンサーとの契約が解除されてしまうような自体が発生することがあり、インターネットを無料で利用してもらうことが難しくなるという問題点を有している。
【０００４】
【特許文献１】特開平９−２４４９８１号公報
【特許文献２】特開２００２−１５７５１９号公報
【発明の開示】
【発明が解決しようとする課題】
【０００５】
この発明は上記問題に鑑み、上記情報閲覧端末装置のブラウザを起動中又は起動時に、一定時間の間、上記情報閲覧端末装置に表示された契約スポンサーのサイトだけしか閲覧できないようにすることにより、利用者が手軽に無料でインターネットを自由に利用することができるインターネット情報配信システム及びその制御ソフトの提供を目的とする。
【課題を解決するための手段】
【０００６】
請求項１に記載した発明のインターネット情報配信システムは、契約スポンサーが閲覧許可したサイトの閲覧情報を記憶するウェブサーバーと、該サイトを閲覧可能に表示する情報閲覧端末装置と、該サイトを閲覧するのに必要なアクセス情報を記憶するアクセス情報記憶装置とを、インターネットを介して接続したインターネット情報配信システムであって、上記情報閲覧端末装置のブラウザを起動中又は起動時に、上記アクセス情報記憶装置に記憶されたアクセス情報に基づいて契約スポンサーが閲覧許可したサイトのアクセス情報を上記情報閲覧端末装置で取得し、上記情報閲覧端末装置に予め設定された一定時間の間、上記契約スポンサーが閲覧許可したサイトだけしか閲覧できないようにしたことを特徴とする。
【０００７】
上記ウェブサーバー及びアクセス情報記憶装置は、例えばデータベースサーバー、パーソナルコンピューター、ＣＰＵ及びＲＯＭ、ＲＡＭを備えた制御装置等で構成することができる。また、情報閲覧端末装置は、例えばデスクトップ型やノート型のパーソナルコンピューター、モバイル、インターネット機能を備えたゲーム機器等で構成することができる。また、パーソナルコンピューターを操作する方法としては、例えばキーボード、マウス、マイク、入力ペン、タッチパネル等の入力装置を用いることができる。また、サイトの表示方法としては、例えば有機ＥＬ式又は無機ＥＬ式のディスプレイ、液晶ディスプレイ、プラズマディスプレイ、ＣＲＴディスプレイ等の表示装置を用いることができる。
【０００８】
つまり、情報閲覧端末装置のブラウザを起動中又は起動時に、アクセス情報記憶装置に記憶された契約スポンサーが閲覧許可するサイトのアクセス情報を情報閲覧端末装置で取得し、そのアクセス情報に基づいて、契約スポンサーが閲覧許可したサイトを記憶するウェブサーバーに情報閲覧端末装置又はアクセス情報記憶装置からアクセスして、ウェブサーバーに記憶された契約スポンサーのサイトを情報閲覧端末装置の画面に一定時間の間、強制的に表示するので、インターネットを利用するとき、契約スポンサーのサイトを利用者に必ず閲覧してもらうことができる。
【０００９】
要するに、宣伝・広告等の情報を提供する特定又は複数のスポンサーと契約し、インターネットの接続料及びその他の経費等を契約スポンサーに負担してもらう代わりに、インターネットを利用する際に、契約スポンサーのサイトを利用者に必ず所定時間閲覧してもらうので、利用者に金銭的な負担をかけることなく、インターネットを自由に利用してもらうことができる。また、強制的に契約スポンサーが閲覧許可するサイトを一定時間閲覧させた後は、規制が解除され、好み又は所望のサイトが閲覧可能となるように設定することもできる。
【００１０】
請求項２に記載した発明のインターネット情報配信システムは、上記請求項１記載の構成と併せて、上記情報閲覧端末装置に予め設定された上記一定時間の間、上記契約スポンサーが閲覧許可したサイトが表示するブラウザウインドウ以外の操作を不可に制限したことを特徴とする。つまり、情報閲覧端末装置に表示される契約スポンサーが閲覧許可したサイトを一定時間閲覧するまで、先に表示されたサイトを操作することができず、契約スポンサーが閲覧許可したサイト内のみに操作制限する。
【００１１】
請求項３に記載した発明のインターネット情報配信システムは、上記請求項１又は２記載の構成と併せて、上記契約スポンサーが閲覧許可したサイトを表示するブラウザウインドウを、上記一定時間が経過するまで消せないようにしたことを特徴とする。つまり、情報閲覧端末装置に表示される契約スポンサーのサイトなどを一定時間が経過するまで消すことができず、契約スポンサーのサイトを利用者に必ず閲覧してもらうことができる。
【００１２】
請求項４に記載した発明のインターネット情報配信システムは、上記請求項１，２又は３記載の構成と併せて、上記ブラウザを起動中、上記一定時間が経過する毎に、自由に閲覧中のブラウザウインドウ以外に、予め契約した契約スポンサーが閲覧許可したサイトだけしか閲覧することができない２枚目のブラウザウインドウが立ち上がるようにすることを特徴とする。つまり、２枚目のブラウザウインドウは、一定時間が経過した後、画面から自由に消すことができるように設定（又は自動的に消えるように設定）することができる。消した後は、この２枚目のウインドウが立ち上がる前に自由に閲覧していた最初のサイトが閲覧できるようになる。なお、２枚目のブラウザウインドウ起動中は、１枚目のブラウザウインドウは閲覧できないように設定している。
【００１３】
請求項５に記載した発明のインターネット情報配信システムは、上記請求項４記載の構成と併せて、上記２枚目のブラウザウインドウは、上記一定時間が経過後表示される毎に、毎回異なる契約スポンサーのサイトが順番に変更表示されるようにすることを特徴とする。つまり、情報閲覧端末装置に表示される契約スポンサーのサイトが毎回異なるため、見飽きることがなく、新しい宣伝内容を毎回表示することができる。
【００１４】
請求項６に記載した発明のインターネット情報配信システムは、上記請求項４又は５記載の構成と併せて、上記２枚目のブラウザウインドウから契約スポンサーが閲覧許可したサイト以外のサイトへ移動してから一定時間が経過した後、さらに契約スポンサーが閲覧許可したサイトだけしか閲覧できない別のブラウザウインドウが立ち上がるようにすることを特徴とする。
【００１５】
つまり、契約スポンサーが閲覧許可したサイトだけしか閲覧できないブラウザウインドウを立ち上げてから、一定時間が経過した後、そのブラウザウインドウは情報閲覧端末装置の画面から消すことができるように設定することができると共に、自由に好みのサイトへ移動できるように設定することもできる。このとき、何の制限もなく、自由に好みのサイトを閲覧し続けることができると、契約スポンサーとの宣伝広告契約を遵守できないこととなってしまうため、契約スポンサーが閲覧許可したサイト以外のサイトへ移動してから一定時間が経過した後、さらに別の強制閲覧ウインドウが立ち上がるようにする。
【００１６】
また、この構成により、ブラウザウインドウで強制的に閲覧させる時間の経過後、契約スポンサー以外のサイトを閲覧すると、情報閲覧端末装置に表示されるブラウザウインドウが４枚目、５枚目と順次増えるが、５枚目のブラウザウインドウが開かれると（一定枚数以上多くのブラウザウインドウが立ち上がると）、２枚目に開かれたブラウザウインドウ（強制的に開いたブラウザウインドウのうち最も古いもの）が情報閲覧端末装置の画面から自動的に消えるように設定することができる。また、情報閲覧端末装置の画面に表示されるブラウザウインドウが順次増えていくと、その都度、該２枚目にあるブラウザウインドウが消えるようにすることもできる。
【００１７】
請求項７に記載した発明のインターネット情報配信システムは、上記請求項４，５又は６記載の構成と併せて、上記２枚目又は２枚目以降のブラウサウインドウが上記情報閲覧端末装置の画面に表示される及び／又は画面から消すことができるようになる時刻又はそれまでの時間を示す予告計時部を表示するよう設定したことを特徴とする。つまり、情報閲覧端末装置の画面に表示される予告計時部を目視すれば、２枚目又は２枚目以降のブラウサウインドウが表示されること及び消すことができるようになることを予め知ることができる。
【００１８】
請求項８に記載した発明のインターネット情報配信システムは、上記請求項１記載の構成と併せて、上記情報閲覧端末装置の操作が一定時間ない場合、上記アクセス情報記憶装置に記憶された複数の契約スポンサーが閲覧許可したサイトのアクセス情報を上記情報閲覧端末装置で取得し、複数の契約スポンサーのサイトを一定時間毎に順番で切替え表示したことを特徴とする。つまり、情報閲覧端末装置の操作が一定時間なくても、複数又は多数の契約スポンサーのサイトが一定時間毎に順番に切替え表示されるため、例えば通行人の視線を情報閲覧端末装置の画面に注目させるか、その画面の前に立ち止まらせる等の宣伝効果が期待でき、インターネットを利用しない人に対して効果的な宣伝方法である。
【００１９】
請求項９に記載した発明のインターネット情報配信システムは、上記請求項４又は５記載の構成と併せて、上記情報閲覧端末装置の表示部を複数に分割して、上記契約スポンサーのサイトを該分割された表示部のそれぞれに表示し、該情報閲覧端末装置に設定された上記一定時間が経過した後に表示する契約スポンサーのサイトを選択可能に設定したことを特徴とする。つまり、情報閲覧端末装置が表示する複数の強制閲覧サイトの中から、利用者の好み又は要望に応じたサイトを自由に選択することができる。
【００２０】
請求項１０に記載した発明のインターネット情報配信システムの制御用ソフトは、情報閲覧端末装置のブラウザを起動中又は起動時に、アクセス情報記憶装置に記憶されたアクセス情報に基づいて契約スポンサーが閲覧許可するサイトのアクセス情報を情報閲覧端末装置で取得し、上記アクセス情報に基づいて、上記契約スポンサーが閲覧許可したサイトを記憶するウェブサーバーにインターネットを介して上記情報閲覧端末装置又はアクセス情報記憶装置からアクセスし、上記ウェブサーバーに記憶された契約スポンサーが閲覧許可したサイトのみに閲覧規制して、予め設定された一定時間だけ表示されるように上記情報閲覧端末装置を制御することを特徴とする。つまり、例えばＭＯやＣＤ−ＲＯＭ、メモリーカード、フレキシブルディスク等の記録媒体に記録（又はサイトからダウンロード）されたインターネット情報配信システム用のソフトを、例えば会社や家庭、個人等が所有又は携帯する情報閲覧端末装置に組み込む又は読み込ませることで、無料でインターネット情報を配信する装置として利用することができる。
【発明の効果】
【００２１】
この発明によれば、情報閲覧端末装置のブラウザを起動中又は起動時に、一定時間の間、情報閲覧端末装置に表示される契約スポンサーが閲覧許可するサイトだけしか閲覧することができないので、インターネットを利用する際に、契約スポンサーなどのサイトを利用者に必ず所定時間閲覧してもらえるので、インターネットへの接続経費をスポンサー料で購うことにより、利用者に金銭的な負担をかけることなく、無料でインターネットを自由に利用してもらうことができる。また、誰もが街角で手軽に無料でインターネットを自由に利用できる場所として、例えばブース、店舗、展示場、催し会場、公共施設、街角、広場、通路等に設置すれば、無料インターネット利用空間を利用者に提供したり、また、自宅の通信端末（パーソナルコンピューターなど）に契約スポンサーの提供情報を配信するためのソフトを導入するだけで、無料インターネット接続サービスを提供することができる。
【発明を実施するための最良の形態】
【００２２】
この発明は、利用者が手軽に無料でインターネットを自由に利用することができるという目的を、上記情報閲覧端末装置のブラウザを起動中又は起動時に、一定時間の間、上記情報閲覧端末装置に表示される契約スポンサーが閲覧許可したのサイトだけしか閲覧できないようにすることで達成した。
【実施例】
【００２３】
この発明の一実施例を以下図面に基づいて詳述する。  
図面は、利用者が手軽に無料でインターネットを自由に利用することができるインターネット情報配信システム及びその制御ソフトを示し、図１に於いて、このインターネット情報配信システム１は、特定（又は複数）の契約スポンサーが閲覧許可したサイト（例えば、契約スポンサーのホームページＡ１〜Ａ４、ダウンロードファイル等を含む。）を記憶するウェブサーバー２…と、その契約スポンサーが閲覧許可したサイトを表示する情報閲覧端末装置３（パーソナルコンピューター）と、契約スポンサーが閲覧許可したサイトを閲覧するのに必要なアクセス情報（ＵＲＬ）を記憶するアクセス情報記憶装置４とをインターネット５で接続している。
【００２４】
つまり、情報閲覧端末装置３のブラウザを起動中又は起動時に、アクセス情報記憶装置４に記憶されたアクセス情報に基づいて契約スポンサーが閲覧許可するサイトのアクセス情報を情報閲覧端末装置３に取得及び記憶させ、そのアクセス情報でもって、契約スポンサーが閲覧許可したサイトを記憶するウェブサーバー２に情報閲覧端末装置３から直接アクセスして、ウェブサーバー２に記憶された契約スポンサーのサイトを、情報閲覧端末装置３の画面に一定時間の間、強制的に表示するものである。
【００２５】
且つ、インターネット５を利用者が無料で利用するためには、例えば宣伝・広告、商品、案内等の情報を提供する特定又は複数のスポンサーと契約し、インターネット５の接続料及びその他の経費等を契約スポンサーに負担してもらう代わりに、インターネット５を利用する際に、所定時間の間、契約スポンサーのサイトなど（ホームページＡ１〜Ａ４）を利用者に必ず閲覧してもらうことで、該所定時間以外の時間、利用者に対して自由に、かつ無料で、インターネット５への接続を許容することができる。
【００２６】
上記ウェブサーバー２は、特定（又は複数）の契約スポンサーが閲覧許可したサイト（契約スポンサーのホームページＡ１〜Ａ４等）の情報及びその契約スポンサーの提供情報を記憶するとともに、例えば宣伝・広告等の情報を提供しようとする契約スポンサーの数に応じて一つ又は複数配置され、有線式や無線式の通信回線を介してインターネット５に接続している。また、一般的には、契約スポンサーに関する様々な提供情報が読み出し可能に記憶されたデータベースサーバーに通常接続するが、既に公知の方法であるので、その詳細な説明及び図示を省略する。
【００２７】
前記情報閲覧端末装置３は、図３にも示すように、キーボード３ａやマウス３ｂからなる入力装置３Ａと、インターネット５を介して取得された好み又は所望のサイト（契約スポンサーのホームページＡ１〜Ａ４を含む。）をブラウザウインドウＢＷを介して表示する表示装置３Ｂと、その入力装置３Ａ及び表示装置３Ｂの駆動を制御し、且つ、契約スポンサーの提供情報を記憶するＣＰＵ及びＲＯＭ、ＲＡＭ、ＨＤＤを備えた装置本体３Ｃとで構成され、有線式や無線式の通信回線を介してアクセス情報記憶装置４及びインターネット５に接続している。また、例えば誰もが街角で手軽に無料でインターネット５を自由に利用できる場所として、例えばブース、店舗、展示場、催し会場、公共施設、街角、広場、通路等の利用者が多い場所又は空間に設置することができる。
【００２８】
且つ、当然ながら、自宅でも無料でインターネットを利用することが可能であり、下記インターネット情報配信システム１の制御用ソフトを、自宅の情報閲覧端末装置３（パーソナルコンピューター）に組み込む又は読み込ませることで、無料でインターネット情報を配信する装置として利用することができる。
【００２９】
つまり、情報閲覧端末装置３のブラウザを起動中又は起動時に内蔵タイマーで計時し、予め設定された一定時間（自由閲覧許可時間）が経過したか否かをＣＰＵで判定する。一定時間が経過したと判定された場合、情報閲覧端末装置３からアクセス情報記憶装置４にアクセスして、契約スポンサーが閲覧許可したサイト（ホームページ等）を閲覧するのに必要なアクセス情報（ＵＲＬ）を取得及び記憶する。
【００３０】
また、図２にも示すように、情報閲覧端末装置３を、後述するアクセス情報記憶装置４を介在することなく、契約スポンサーが閲覧許可したサイトを記憶する複数のウェブサーバー２…と、例えば会社や家庭、個人等が所有又は携帯する情報閲覧端末装置３とにインターネット５を介して接続してもよい。つまり、契約スポンサーが閲覧許可したサイトを閲覧するのに必要なアクセス情報（ＵＲＬ）を、情報閲覧端末装置３のテーブル（図４参照）に複数（又は多数）記憶しておき、情報閲覧端末装置３のブラウザを起動中又は起動時に内蔵タイマーで計時して、予め設定された一定時間が経過したか否かをＣＰＵで判定する。
【００３１】
一定時間が経過したと判定された場合、例えば契約スポンサーの広告料に応じて予め決められた選択基準に基づいて、或いは、閲覧頻度や閲覧確率等の選択基準に基づいて、契約スポンサーが閲覧許可したサイトのアクセス情報をテーブル（図４参照）から順番又はランダムに選択し、その選択したアクセス情報でもって、契約スポンサーが閲覧許可したサイトを記憶するウェブサーバー２に情報閲覧端末装置３から直接アクセスし、該ウェブサーバー２に記憶されたサイトを情報閲覧端末装置３に表示することができる。
【００３２】
前記アクセス情報記憶装置４は、契約スポンサーが閲覧許可したサイトを閲覧するのに必要なアクセス情報（ＵＲＬ）を、図４に示すような装置内蔵のテーブル上に複数（又は多数）記憶しており、情報閲覧端末装置３からアクセスが求められたとき、例えば契約スポンサーの広告料に応じて予め決められた選択基準に基づいて、或いは、閲覧頻度や閲覧確率等の選択基準に基づいて、契約スポンサーが閲覧許可したサイト（ホームページＡ１〜Ａ４など）を閲覧するのに必要なアクセス情報を順番又はランダムに選択し、その選択した一つ又は複数のサイトのアクセス情報を情報閲覧端末装置３に送信して取得及び記憶させる。
【００３３】
また、アクセス情報記憶装置４は、上記選択したアクセス情報でもって、インターネット５を介して、契約スポンサーが閲覧許可したサイトを記憶するウェブサーバー２にアクセス情報記憶装置４からアクセスして、情報閲覧端末装置３に代わって情報を取得し、ウェブサーバー２に記憶されたサイトの情報を情報閲覧端末装置３に表示させることもできる。
【００３４】
また、複数（又は多数）の契約スポンサーが閲覧許可したサイトを閲覧するのに必要なアクセス情報を一つの情報閲覧端末装置３又はアクセス情報記憶装置４に記憶しておくこともできる。
【００３５】
図示実施例は上記の如く構成するものにして、以下、上記インターネット情報配信システム１の利用方法を説明する。
【００３６】
予め、ウェブサーバー２に記憶された契約スポンサーが閲覧許可するサイト（ホームページＡ１〜Ａ４など）は、管理者以外が設定を変更することができないようになっている。また、情報閲覧端末装置３に表示される「お気に入りＢ」の中身は、契約スポンサーが閲覧を許可したサイトで構成し、削除や追加等の変更は、管理者以外は不可とすることができる。
【００３７】
図５は、第１実施形態のインターネット情報配信システム１を示すフローチャートであり、図１及び図２に示す情報閲覧端末装置３のブラウザを起動中又は起動時に内蔵タイマーで計時し（ステップ１）、予め設定された一定時間（例えば約３０分、約１時間等の自由閲覧許可時間）が経過したか否かを装置本体３ＣのＣＰＵで判定し（ステップ２）、一定時間（自由閲覧許可時間）が経過する前であると判定された場合、起動中又は起動時に閲覧していた利用者が自由に閲覧しているサイトの表示を継続する。
【００３８】
次に、一定時間（自由閲覧許可時間）が経過したと判定された場合、情報閲覧端末装置３からアクセス情報記憶装置４にアクセスして、契約スポンサーが閲覧許可したサイトを閲覧するのに必要なアクセス情報（ＵＲＬ）を取得及び記憶する（ステップ３）。
【００３９】
例えば、契約スポンサーの広告料に応じて予め決められた選択基準に基づいて、或いは、閲覧頻度や閲覧確率等の選択基準に基づいて、契約スポンサーが閲覧許可したサイトのアクセス情報をテーブル（図４参照）から順番又はランダムに選択し（ステップ４）、その選択した一つ又は複数のサイトのアクセス情報を情報閲覧端末装置３に送信して取得及び記憶させる（ステップ５）。
【００４０】
次に、情報閲覧端末装置３は、上記取得及び記憶したアクセス情報でもって、契約スポンサーが閲覧許可したサイトを記憶するウェブサーバー２に情報閲覧端末装置３（又はアクセス情報記憶装置４）から直接アクセスし（ステップ６）、ウェブサーバー２に記憶されたサイト（ホームページＡ１〜Ａ４など）を情報閲覧端末装置３で閲覧可能に表示し（ステップ７）、一定時間（例えば約３０秒、約１分等の閲覧規制時間）の間、図３に示すように、情報閲覧端末装置３に表示される契約スポンサーが閲覧許可したサイトだけしか閲覧できないように閲覧規制する。
【００４１】
次に、契約スポンサーのサイトを強制的に表示する閲覧規制中において、一定時間（閲覧規制時間）が経過したか否かを装置本体３Ｃで判定し（ステップ８）、一定時間（閲覧規制時間）が経過する前であると判定された場合、契約スポンサーが閲覧許可したサイトの強制的な表示を継続する（ステップ７）。なお、情報閲覧端末装置３に表示される契約スポンサーが閲覧許可したサイトから例えばソフトや画像等のデータをダウンロードできるようにすることもできる。
【００４２】
この際、テーブルから取得する情報として、契約スポンサーが閲覧を指定するサイト（ＵＲＬ）のみならず、契約スポンサーが閲覧を許可したサイトの範囲に関する情報（ドメイン）をも、取得することができる。
【００４３】
これにより、１つのサイト（ＵＲＬ）のみを指し示し、狭い範囲のみの情報を強制的に閲覧させるのではなく、ある一定の範囲（ドメイン）を許可指定して、その範囲内であれば、利用者に自由に閲覧を許可することができるようになる。
【００４４】
一方、一定時間（閲覧規制時間）が経過した後であると判定された場合、契約スポンサーが閲覧許可したサイトの閲覧規制を解除し（ステップ９）、好み又は所望のサイトが閲覧可能（又は契約スポンサー以外のサイトへ移動可能）となる（自由閲覧許可時間）（ステップ１０）。また、好み又は所望のサイトを閲覧中は、ステップ２〜ステップ９の処理動作が繰り返される。なお、閲覧規制時間は、管理者以外が設定を変更することが不可であり、管理者が所望する規制時間に変更する。また、自由閲覧許可時間は、管理者以外が設定を変更することが不可であり、管理者が所望する時間に変更する。
【００４５】
図６は、第２実施形態のインターネット情報配信システム１を示すフローチャートである。第１実施形態と異なる点は、契約スポンサーが閲覧許可するサイト（ホームページＡ１〜Ａ４など）の強制的表示において、利用者が自由に閲覧していたＢＷ１とは別の次枚目のＢＷ２を自動的に立ち上げて表示する（ステップ７）。
【００４６】
図７は、表示装置３Ｂの画面に表示される最初に自由に閲覧していたブラウザウインドウＢＷ１と、一定時間（自由閲覧許可時間）が経過する毎に現れるブラウザウインドウＢＷ２であり、ブラウザウインドウＢＷ２は一定時間の間（閲覧規制時間）、予め契約した契約スポンサーが閲覧許可したサイト（ページＡ１）だけしか閲覧することができないブラウザウインドウである。
【００４７】
つまり、２枚目のブラウザウインドウＢＷ２にサイト（ページＡ１）が表示されてから、一定時間（例えば約３０秒、約１分等の閲覧規制時間）が経過したか否かを判定し（ステップ８）、一定時間（閲覧規制時間）経過前であると判定された場合、２枚目のブラウザウインドウＢＷ２のサイト（ページＡ１）の表示を継続する。
【００４８】
一定時間（閲覧規制時間）経過後であると判定された場合、２枚目のブラウザウインドウＢＷ２は、表示装置３Ｂの画面から消すことができるようになり、その閲覧を継続するか、消すことを利用者が選択することができる（又は自動的に消える）。さらにそのブラウザウインドウＢＷ２で、契約スポンサーが閲覧許可しないサイトへ移動して閲覧することもできるようになる。
消した場合（消えた場合）には、自由に閲覧していた最初のブラウザウインドウＢＷ１（ページＦ）に戻ってから（ステップ１）、閲覧規制処理を実行して一定時間（自由閲覧許可時間）が経過したか否かを判定し（ステップ２）、一定時間（自由閲覧許可時間）経過前であると判定された場合、ブラウザウインドウＢＷ１の表示（ページＦ）を継続する。
【００４９】
なお、２枚目のブラウザウインドウＢＷ２が表示されている間（契約スポンサーが閲覧許可した２枚目のブラウザウインドウＢＷ２にサイトが表示されている間）は、１枚目のブラウザウインドウＢＷ１（自由に閲覧していたサイトを表示していたブラウザウインドウＢＷ１）は閲覧不可又は操作できないように設定することができる。つまり、情報閲覧端末装置３に強制的に表示される契約スポンサーが閲覧許可したサイトが消せるようになるまで又は消えるまで、先に表示されたサイトを自由に閲覧することができず、契約スポンサーが閲覧許可したサイト内のみに閲覧制限することができる。
【００５０】
また、２枚目のブラウザウインドウ（ページＡ１）は、このサイト内のリンクページもしくは契約スポンサーが閲覧許可するサイト（ページＡ１）を表示し、一定時間（例えば約３０秒、約１分等の閲覧規制時間）が経過すると画面から消すことができるようになり、その閲覧を継続するか、消すことを利用者が選択することができる（又は自動的に消えるか、消えないようにすることもできる）（ステップ１１）。
【００５１】
また、強制的な表示を行う一定時間（閲覧規制時間）を過ぎても、契約スポンサーが閲覧許可するサイト（ページＡ１）を閲覧し続けている場合は、３枚目のブラウザウインドウＢＷ３（ページＡ２）が現れないようにすることができる。つまり、契約スポンサーが閲覧を許可したサイトを閲覧し続ける限り、その契約スポンサーの宣伝広告機能は十分に果たしているといえるため、敢えて別の契約スポンサーが許可するサイトを強制的に見せなくても良いからである。よって、契約スポンサーの許可したサイトを閲覧し続ける限り、ステップ２の閲覧制限時間の計時を開始しないようにすることができる。
【００５２】
また、上記ブラウザは一定時間（自由閲覧許可時間）が経過後現れる毎に、毎回異なる契約スポンサーが閲覧許可するサイト（ホームページＡ１〜Ａ４など）が順番に変更表示されるようにする。つまり、表示装置３Ｂの画面に表示される広告用サイトが毎回異なるため、見飽きることがなく、新しい宣伝内容を表示することができる。
【００５３】
また、上記のように契約スポンサーが許可するサイトと同様に、計時を開始しないサイトとして、ブラウザによって管理されているお気に入りＢ（ブックマーク）に設定されているサイトについても、自由に何分でも閲覧することが出来るようにしても良い。
【００５４】
上記強制的に表示されるブラウザウインドウＢＷは、契約スポンサー以外のサイトを閲覧すると表示装置３Ｂに表示されるブラウザウインドウＢＷが４枚目、５枚目と順次増えるが、５枚目のブラウザウインドウＢＷ５が開かれると（一定枚数以上多くのブラウザウインドウが立ち上がると）、２枚目に開かれたブラウザウインドウＢＷ２（強制的に開いたブラウザウインドウＢＷのうち最も古いもの）が情報閲覧端末装置３の画面から自動的に消えるように設定することができる。また、情報閲覧端末装３置の画面に表示されるブラウザウインドウＢＷが順次増えていくと、その都度、該２枚目（強制的に開いたブラウザウインドウＢＷのうち最も古いもの）にあるブラウザウインドウＢＷが消えるようにすることもできる。
【００５５】
図８は、表示装置３Ｂに表示される５枚目のブラウザウインドウＢＷ５（ページＡ４）の表示状態と、その５枚目のブラウザウインドウＢＷ５（ページＡ４）が開かれると画面から消える２枚目のブラウザウインドウＢＷ２（ページＡ１）の消去状態とを示すものである。また、５枚目のブラウザウインドウＢＷ５でサイト（ページＡ４）を一定時間（例えば約３０分、約１時間等の自由閲覧許可時間）閲覧すると、２枚目〜５枚目のブラウザウインドウＢＷ２〜５（ページＡ１〜Ａ４）を表示装置３Ｂの画面からまとめて消して、１番最初のサイト（ページＦ）を閲覧可能に表示することもできる。
【００５６】
図９は、一定時間（閲覧規制時間）が経過した後も表示装置３Ｂの画面に残る１番最初のサイト（ページＦ）と、一定時間（閲覧規制時間）経過した後、画面から消える２枚目〜５枚目のブラウザウインドウＢＷ２〜５（ページＡ１〜Ａ４）とを示すものである。
【００５７】
以上のように、情報閲覧端末装置３のブラウザを起動中又は起動時に、一定時間の間、情報閲覧端末装置３に表示される契約スポンサーが閲覧許可したサイト（ホームページＡ１〜Ａ４など）だけしか閲覧することができないので、インターネット５を利用する際に、契約スポンサーの提供情報を利用者に必ず所定時間閲覧してもらえ、利用者に金銭的な負担をかけることなく、無料でインターネット５を自由に利用してもらうことができる。また、誰もが街角で手軽に無料でインターネット５を自由に利用できる場所として、例えばブース、店舗、展示場、催し会場、公共施設、街角、広場、通路等に設置すれば、無料インターネット利用空間を利用者に提供したり、契約スポンサーの提供情報を配信するためのソフト又はシステムからなるインターネット情報配信システムを提供することもできる。
【００５８】
また、入力装置３Ａを構成するキーボード３ａやマウス３ｂによる入力操作が一定時間（例えば約１０分）ない場合、情報閲覧端末装置３に表示される複数の契約スポンサーのサイトが一定時間毎（例えば約１分）に順番で切替え表示されるように設定することもできる。つまり、入力装置３Ａによる入力操作が一定時間なくても、複数の契約スポンサーのサイトが一定時間毎に順番に切替え表示されるため、例えば通行人の視線を表示装置３Ｂの画面に注目させるか、その画面の前に立ち止まらせる等の宣伝効果が期待でき、インターネット５を利用しない人に対して効果的な宣伝方法である。
【００５９】
また、図７、図８、図９に示すように、２枚目又は２枚目以降のブラウザウインドウＢＷのサイト（ホームページＡ１〜Ａ４など）が表示装置３Ｂの画面に現れる前及び画面から消える前にカウントダウンのツールバーとして予告計時部Ｃを表示し、ブラウザウインドウのサイトが表示されること及び消すことができるようになることを、表示装置３Ｂに表示した予告計時部Ｃによりゲージや数字、文字等で予告することもできる。つまり、表示装置３Ｂの画面に表示される予告計時部Ｃを目視すれば、２枚目又は２枚目以降のブラウザウインドウＢＷのサイトが表示されること及び消すことができるようになることを予め知ることができる。
【００６０】
図１０は、ブラウザウインドウを複数（又は多数）に分割して、分割したそれぞれの表示装置３Ｂの画面に表示した例を示し、情報閲覧端末装置３に設定された一定時間（例えば約３０分、約１時間等の自由閲覧許可時間）が経過した後に表示されるスポンサーが閲覧許可するサイト（ページＡ１〜Ａ４）を利用者が好みに応じて選択可能に表示することもできる。つまり、表示装置３Ｂの画面に表示される４分割のサイト（ページＡ１〜Ａ４）の中から、利用者が好みに応じたサイトを自由に選択することができる。また、表示装置３Ｂに表示される分割画面を、例えば５分割以上に設定することもできる。
【００６１】
なお、本発明は、上述の実施例の構成のみに限定されるものではなく、例えばインターネット５を情報閲覧端末装置３で閲覧中、ブラウザに宣伝・広告等を配信するツールバーを設けて、そのツールバーをクリックすると、その宣伝・広告等に関連するサイトが表示されるように設定することもできる。
【図面の簡単な説明】
【００６２】
【図１】インターネット情報配信システムの全体構成を示す説明図。
【図２】情報閲覧端末装置をインターネットに接続した構成を示す説明図。
【図３】情報閲覧端末装置に１枚目のサイトを表示した状態を示す斜視図。
【図４】テーブルに記憶されたアクセス情報を示す説明図。
【図５】第１実施形態のインターネット情報配信システムのフローチャート。
【図６】第２実施形態のインターネット情報配信システムのフローチャート。
【図７】２枚目のサイトの表示状態を示す正面図。
【図８】２枚目のサイトの消える状態を示す正面図。
【図９】２枚目乃至５枚目のサイトの消える状態を示す正面図。
【図１０】ブラウザを複数に分割して表示した例を示す正面図。
【符号の説明】
【００６３】
１…インターネット情報配信システム
２…ウェブサーバー
３…情報閲覧端末装置
３Ａ…入力装置
３Ｂ…表示装置
４…アクセス情報記憶装置
５…インターネット
ＢＷ…ブラウザウインドウ
Ａ１〜Ａ４…ホームページ
Ｂ…お気に入り
Ｃ…予告計時部
【図１】
2006155334.tif 000003
【図２】
2006155334.tif 000004
【図３】
2006155334.tif 000005
【図４】
2006155334.tif 000006
【図５】
2006155334.tif 000007
【図６】
2006155334.tif 000008
【図７】
2006155334.tif 000009
【図８】
2006155334.tif 000010
【図９】
2006155334.tif 000011
【図１０】
2006155334.tif 000012